(57)【要約】【課題】多チャンネルの音声の再生環境を容易に実現する。【解決手段】音声処理装置（１１）の音声データ生成部（１１１）は、出力チャンネル毎の音声データを出力する複数のスピーカ群が横方向に配列されたサウンドバー（１２）と、該複数のスピーカ群が横方向に配列されたサウンドバー（１３）を含む複数の出力チャンネル用スピーカ各々に対する音声データを、複数の入力チャンネルの音声データをダウンミックスして生成する。【選択図】図１
2018121309.tif 000002
【特許請求の範囲】
【請求項１】
複数の入力チャンネルの音声データをダウンミックスすることによって、複数の出力チャンネルの音声データを生成する音声処理装置において、
出力チャンネル毎の音声データを出力する複数のスピーカ群が横方向に配列されてなる第１のサウンドバーと、出力チャンネル毎の音声データを出力する複数のスピーカ群が横方向に配列されてなる第２のサウンドバーとを含む複数の出力チャンネル用スピーカのそれぞれに対する音声データを、上記複数の入力チャンネルの音声データをダウンミックスすることによって生成する音声データ生成部
を備えていることを特徴とする音声処理装置。
【請求項２】
上記音声データ生成部は、
上記複数の入力チャンネルの上層の音声データを、上記複数の出力チャンネルの上層の音声データにダウンミックスし、
上記複数の入力チャンネルの中層の音声データを、上記複数の出力チャンネルの中層の音声データにダウンミックスし、
上記複数の入力チャンネルの下層の音声データを、上記複数の出力チャンネルの中層の音声データに併合する、
ことを特徴とする請求項１に記載の音声処理装置。
【請求項３】
上記音声データ生成部は、
２２．２ｃｈの音声データを１４．２ｃｈの音声データにダウンミックスする場合に、
上記複数の入力チャンネルの上層９ｃｈの音声データを、上記複数の出力チャンネルの上層７ｃｈの音声データにダウンミックスし、
上記複数の入力チャンネルの中層１０ｃｈの音声データを、上記複数の出力チャンネルの中層７ｃｈの音声データにダウンミックスし、
上記複数の入力チャンネルの下層３ｃｈの音声データを、上記複数の出力チャンネルの中層７ｃｈの音声データに併合する、
ことを特徴とする請求項２に記載の音声処理装置。
【請求項４】
請求項１から３の何れか１項に記載の音声処理装置と、
出力チャンネル毎の音声データを出力する複数のスピーカ群が横方向に配列されてなる第１のサウンドバーと、
出力チャンネル毎の音声データを出力する複数のスピーカ群が横方向に配列されてなる第２のサウンドバーと、
を備えていることを特徴とする音声出力装置。
【請求項５】
請求項４に記載の音声出力装置を備えていることを特徴とするテレビジョン受像機。
【請求項６】
複数の入力チャンネルの音声データをダウンミックスすることによって、複数の出力チャンネルの音声データを生成する音声処理方法であって、
出力チャンネル毎の音声データを出力する複数のスピーカ群が横方向に配列されてなる第１のサウンドバーと、出力チャンネル毎の音声データを出力する複数のスピーカ群が横方向に配列されてなる第２のサウンドバーとを含む複数の出力チャンネル用スピーカのそれぞれに対する音声データを、上記複数の入力チャンネルの音声データをダウンミックスすることによって生成する音声データ生成ステップ
を含んでいることを特徴とする音声処理方法。
【請求項７】
請求項１から３の何れか１項に記載の音声処理装置としてコンピュータを機能させるためのプログラムであって、上記音声データ生成部としてコンピュータを機能させるためのプログラム。
【請求項８】
請求項７に記載のプログラムを記録したコンピュータ読み取り可能な記録媒体。
【発明の詳細な説明】
【技術分野】
【０００１】
本発明は、音声処理装置、音声出力装置、テレビジョン受像機、音声処理方法、プログラム、及び、プログラムの記録媒体に関する。
【背景技術】
【０００２】
実用放送が開始予定の高度ＢＳ放送においては、映像の高解像度化だけでなく、音声に関しても２２．２ｃｈ（以下、ｃｈは「チャンネル」を示す）という高度な立体音響信号を送信している。これらの放送にて送られてくる２２．２ｃｈ及び他ｃｈの音声信号を再現させるためには、２２個のＳＰ（以下、ＳＰは「スピーカ」を示す）及び２個の低域ＳＰを所定の位置に設置し、ＳＰを駆動するために２４ｃｈのアンプが必要である。
【０００３】
上記の立体音響信号をより容易に再生するために、５．１ｃｈ等の一般的なサラウンド信号に変換する手法が提示されている。例えば、非特許文献１には、２２．２ｃｈ信号を一般的な５．１ｃｈ信号にダウンミックスさせる変換式が開示されている。
【先行技術文献】
【特許文献】
【０００４】
【特許文献１】特許５６０４３６５号公報（２０１２年１２月０６日公開）
【特許文献２】特許５８５２３２５号公報（２０１２年１２月０６日公開）
【非特許文献】
【０００５】
【非特許文献１】ＡＲＩＢ  ＳＲＴＤ−Ｂ３２  第２部（２０１６年１２月９日改訂）
【発明の概要】
【発明が解決しようとする課題】
【０００６】
非特許文献１の手法は立体音響効果をより重視した変換手法ではないという問題がある。すなわち、２２．２ｃｈで多くの情報を送出している上層チャネル、及び、前面チャネルの信号がより少ないチャンネルへとマージされることにより、平面的なサラウンド音像は再現しているものの、立体感、前面音像の厚み等が薄れてしまう。
【０００７】
また、特許文献１及び２には、２２．２ｃｈの重要なデータである前面チャンネルの情報を重視しつつ、サラウンドチャンネルの信号も上層のＳＰと、中層のＳＰとに分けることにより、高さ方向（立体感）の音声再生を実現する多チャンネルスピーカ装置が開示されている。ただし、特許文献１及び２の技術は、テレビ画面の周囲に専用スピーカを配置し、当該専用スピーカに応じた音声処理を施すものである。
【０００８】
一方、近年、ＤｏｌｂｙＡｔｍｏｓ等、立体音像の再現が求められている。本来の２２．２ｃｈは立体音像の情報を十分に持っているので、その立体音像の情報を生かしながら、専用スピーカを用いることなく、一般家庭でも立体音像を容易に実現する手法が求められている。
【０００９】
本発明の一態様は、多チャンネルの音声の再生環境を容易に実現することを目的とする。
【課題を解決するための手段】
【００１０】
上記の課題を解決するために、本発明の一態様に係る音声処理装置は、複数の入力チャンネルの音声データをダウンミックスすることによって、複数の出力チャンネルの音声データを生成する音声処理装置において、出力チャンネル毎の音声データを出力する複数のスピーカ群が横方向に配列されてなる第１のサウンドバーと、出力チャンネル毎の音声データを出力する複数のスピーカ群が横方向に配列されてなる第２のサウンドバーとを含む複数の出力チャンネル用スピーカのそれぞれに対する音声データを、上記複数の入力チャンネルの音声データをダウンミックスすることによって生成する音声データ生成部を備えている。
【００１１】
上記の課題を解決するために、本発明の一態様に係る音声処理方法は、複数の入力チャンネルの音声データをダウンミックスすることによって、複数の出力チャンネルの音声データを生成する音声処理方法であって、出力チャンネル毎の音声データを出力する複数のスピーカ群が横方向に配列されてなる第１のサウンドバーと、出力チャンネル毎の音声データを出力する複数のスピーカ群が横方向に配列されてなる第２のサウンドバーとを含む複数の出力チャンネル用スピーカのそれぞれに対する音声データを、上記複数の入力チャンネルの音声データをダウンミックスすることによって生成する音声データ生成ステップを含んでいる。
【発明の効果】
【００１２】
本発明の一態様によれば、多チャンネルの音声の再生環境を容易に実現することができるとの効果を奏する。
【図面の簡単な説明】
【００１３】
【図１】本発明の実施形態１に係る音声出力装置の構成を示すブロック図である。
【図２】本発明の実施形態１に係るテレビジョン受像機の外観を示す正面図である。
【図３】本発明の実施形態１に係る音声処理装置が取得する２２．２ｃｈの音声データのスピーカ位置を示す図である。
【図４】本発明の実施形態１に係る音声処理装置が生成する１４．２ｃｈの音声データのスピーカ位置を示す図である。
【図５】本発明の実施形態１に係るに係るダウンミックスの計算式を示す図である。
【図６】本発明の実施形態１に係る１４．２ｃｈの音声データを、７．１ｃｈを有するサウンドバー２個を上下に配置して再生した場合に生成される音場を模式的に示す図である。
【図７】本発明の実施形態１に係る１４．２ｃｈの音声データを、７．１ｃｈを有するサウンドバー２個を上下に配置して再生した場合に生成される音場を模式的に示す図である。
【図８】本発明の実施形態２に係る音声処理装置が生成する１０．２ｃｈの音声データのスピーカ位置を示す図である。
【図９】本発明の実施形態２に係るダウンミックスの計算式を示す図である。
【図１０】本発明の実施形態３に係る音声処理装置が生成する８．１ｃｈの音声データのスピーカ位置を示す図である。
【図１１】本発明の実施形態３に係るダウンミックスの計算式を示す図である。
【図１２】本発明の実施形態３に係る８．１ｃｈの音声データを、３ｃｈを有するサウンドバー１個と、５．１ｃｈを有するサウンドバー１個とを配置して再生した場合に生成される音場を模式的に示す図である。
【発明を実施するための形態】
【００１４】
〔実施形態１〕
以下、本発明の実施形態１について、詳細に説明する。
【００１５】
（音声出力装置１の構成）
図１は、本実施形態に係る音声出力装置１の構成を示すブロック図である。音声出力装置１は、音声処理装置１１と、サウンドバー（第１のサウンドバー）１２と、サウンドバー（第２のサウンドバー）１３とを備えている。
【００１６】
音声処理装置１１は、複数の入力チャンネルの音声データをダウンミックスすることによって、複数の出力チャンネルの音声データを生成する。音声処理装置１１は、音声データ生成部１１１を備えている。音声データ生成部１１１は、サウンドバー１２及び１３を含む複数の出力チャンネル用スピーカのそれぞれに対する音声データを、複数の入力チャンネルの音声データをダウンミックスすることによって生成する。
【００１７】
サウンドバー１２は、出力チャンネル毎の音声データを出力する複数のスピーカ群が横方向に配列されてなる。サウンドバー１３は、出力チャンネル毎の音声データを出力する複数のスピーカ群が横方向に配列されてなる。
【００１８】
（テレビジョン受像機２の外観）
図２は、本実施形態に係るテレビジョン受像機２の外観を示す正面図である。テレビジョン受像機２は、音声出力装置１を備えている。図２に示すように、テレビジョン受像機２の前面には、サウンドバー１２、１３及び画面１４が配置されている。サウンドバー１２は、画面１４の上側に配置されている。サウンドバー１３は、画面１４の下側に配置されている。
【００１９】
（音声処理装置１１の処理）
音声処理装置１１は、２２．２ｃｈの音声データを取得し、ダウンミックスすることによって、１４．２ｃｈの音声データを生成する。
【００２０】
以下の説明では、音声データの各チャンネルと当該チャンネルが想定するスピーカ位置とを同じ記号を用いて説明する。
【００２１】
図３は、本実施形態に係る音声処理装置１１が取得する２２．２ｃｈの音声データが想定するスピーカ位置を示す図である。図３に示すように、２２．２ｃｈの音声データは、前に配置された１１個のＳＰ（ＴｐＦＬ、ＴｐＦＣ、ＴｐＦＲ、ＦＬ、ＦＬＣ、ＦＣ、ＦＲＣ、ＦＲ、ＢｔＦＬ、ＢｔＦＣ、ＢｔＦＲ）、中間に配置された５個のＳＰ（ＴｐＳｉＬ、ＴｐＣ、ＴｐＳｉＲ、ＳｉＬ、ＳｉＲ）、後ろに配置された６個のＳＰ（ＴｐＢＬ、ＴｐＢＣ、ＴｐＢＲ、ＢＬ、ＢＣ、ＢＲ）から出力されることが想定されている。また、２２．２ｃｈの音声データの各チャンネルは、上層である９ｃｈ（ＴｐＦＬ、ＴｐＦＣ、ＴｐＦＲ、ＴｐＳｉＬ、ＴｐＣ、ＴｐＳｉＲ、ＴｐＢＬ、ＴｐＢＣ、ＴｐＢＲ）、中層である１０ｃｈ（ＦＬ、ＦＬＣ、ＦＣ、ＦＲＣ、ＦＲ、ＳｉＬ、ＳｉＲ、ＢＬ、ＢＣ、ＢＲ）、下層である５ｃｈ（ＢｔＦＬ、ＢｔＦＣ、ＢｔＦＲ、ＬＦＥ１、ＬＦＥ２）に分類される。
【００２２】
なお、ウーハ０．２ｃｈの音声データには、下層の２ｃｈ（ＬＦＥ１、ＬＦＥ２）が対応する。
【００２３】
図４は、本実施形態に係る音声処理装置１１が生成する１４．２ｃｈの音声データのスピーカ位置を示す図である。図４に示すように、１４．２ｃｈの音声データは、前に配置された６個のＳＰ（ＦＬ＿Ｔｐ、ＦＣ＿Ｔｐ、ＦＲ＿Ｔｐ、ＦＬ＿Ｂｔ、ＦＣ＿Ｂｔ、ＦＲ＿Ｂｔ）、中間に配置された４個の仮想ＳＰ（ＳＬ＿Ｔｐ、ＳＲ＿Ｔｐ、ＳＬ＿Ｂｔ、ＳＲ＿Ｂｔ）、後ろに配置された４個の仮想ＳＰ（ＳＢＬ＿Ｔｐ、ＳＢＲ＿Ｔｐ、ＳＢＬ＿Ｂｔ、ＳＢＲ＿Ｂｔ）を出力位置として出力される。図４において、仮想ＳＰは破線の輪郭により示される。
【００２４】
音声出力装置１は、７．１ｃｈを有するサウンドバー２個を上下に配置し、対となる２個のウーハを下層に配置することにより、１４．２ｃｈの音声データを出力可能である。ここで、２個のサウンドバーのうちより上層に配置されたサウンドバーをSoundBar_Tpと表し、より下層に配置されたサウンドバーをSoundBar_Btと表す。
【００２５】
サウンドバー（SoundBar_Tp）は、図４に示すように、ＳＢＬ＿Ｔｐ、ＳＬ＿Ｔｐ、ＦＬ＿Ｔｐ、ＦＣ＿Ｔｐ、ＦＲ＿Ｔｐ、ＳＲ＿Ｔｐ、ＳＢＲ＿Ｔｐの７個のチャンネルのそれぞれに対応した音声を再生するスピーカ群を有している。図４は、各々のチャンネルに対応したスピーカを個別に有する例を示す。ここで、図４において破線で示した各チャンネル（ＳＬ＿Ｔｐ、ＳＲ＿Ｔｐ、ＳＢＬ＿Ｔｐ、ＳＢＲ＿Ｔｐ（計４つ））は、仮想ＳＰ（ＳＬ＿Ｔｐ、ＳＲ＿Ｔｐ、ＳＢＬ＿Ｔｐ、ＳＢＲ＿Ｔｐ）を出力位置とするものであり、サウンドバー（SoundBar_Tp）の対応する仮想スピーカを再生するためのスピーカ群を有する。
【００２６】
同様に、サウンドバー（SoundBar_Bt）は、図４に示すように、ＳＢＬ＿Ｂｔ、ＳＬ＿Ｂｔ、ＦＬ＿Ｂｔ、ＦＣ＿Ｂｔ、ＦＲ＿Ｂｔ、ＳＲ＿Ｂｔ、ＳＢＲ＿Ｂｔの７個のチャンネルのそれぞれに対応した音声を再生するスピーカ群を有している。図４は、各々のチャンネルに対応したスピーカを個別に有する例を示す。ここで、図４において破線で示した各チャンネル（ＳＬ＿Ｂｔ、ＳＲ＿Ｂｔ、ＳＢＬ＿Ｂｔ、ＳＢＲ＿Ｂｔ（計４つ））は、上述の仮想ＳＰ（ＳＬ＿Ｂｔ、ＳＲ＿Ｂｔ、ＳＢＬ＿Ｂｔ、ＳＢＲ＿Ｂｔ）に対応するものであり、サウンドバー（SoundBar_Bt）の対応する仮想スピーカを再生するためのスピーカ群を有する。
【００２７】
音声出力装置１は、上記のように構成されるスピーカを駆動するアンプを備える。
【００２８】
音声処理装置１１において、音声データ生成部１１１は、複数の入力チャンネルの上層の音声データを、複数の出力チャンネルの上層の音声データにダウンミックスし、複数の入力チャンネルの中層の音声データを、複数の出力チャンネルの中層の音声データにダウンミックスし、複数の入力チャンネルの下層の音声データを、複数の出力チャンネルの中層の音声データに併合する。
【００２９】
２２．２ｃｈの音声データを１４．２ｃｈの音声データにダウンミックスする場合に、音声データ生成部１１１は、２２．２ｃｈの上層９ｃｈの音声データを１４．２ｃｈの上層７ｃｈの音声データ（ＳＢＬ＿Ｔｐ、ＳＬ＿Ｔｐ、ＦＬ＿Ｔｐ、ＦＣ＿Ｔｐ、ＦＲ＿Ｔｐ、ＳＲ＿Ｔｐ、ＳＢＲ＿Ｔｐ）にダウンミックスする。音声データ生成部１１１は、２２．２ｃｈの中層１０ｃｈの音声データを１４．２ｃｈの中層７ｃｈの音声データ（ＳＢＬ＿Ｂｔ、ＳＬ＿Ｂｔ、ＦＬ＿Ｂｔ、ＦＣ＿Ｂｔ、ＦＲ＿Ｂｔ、ＳＲ＿Ｂｔ、ＳＢＲ＿Ｂｔ）にダウンミックスする。音声データ生成部１１１は、２２．２ｃｈの下層３ｃｈの音声データを１４．２ｃｈの中層７ｃｈの音声データに併合する。
【００３０】
図５は、本実施形態に係るダウンミックスの計算式を示す図である。
【００３１】
音声データ生成部１１１は、中層の分配係数を調整することにより、音声の厚み感を表現する。ａ、ｋ、ｖ１、ｖ２、ｗ１、ｗ２は、一般的な係数である。
【００３２】
係数ａは、ダウンミックス処理時にデータがオーバーフローしないようにするために設定される係数であり、０から１の間の値が任意に設定される。係数ｋは、サラウンドチャンネルゲイン係数であり、放送により送られてくる係数である。ｖ１、ｖ２は垂直方向係数（上下分配）であり、０から１の値がそれぞれ任意に設定される。また、上記垂直方向係数の関係は、ｖ１＋ｖ２＝１となる。ｗ１、ｗ２は、水平方向係数であり、０から１の値がそれぞれ任意に設定される。また、上記水平方向係数の関係は、ｗ１＋ｗ２＝１となる。これらの係数は、上下ＳＰの位置（サウンドバー設置位置、テレビ画面サイズ）に合わせて、拡がり感を最適化するために任意に設定可能とする。
【００３３】
式１〜７は、１４．２ｃｈの中層の音声データの計算式である。式１に示すように、音声データ生成部１１１は、ＦＬ、ＦＬＣ、及び、ＢｔＦＬを用いて、ＦＬ＿Ｂｔを生成する。式２に示すように、音声データ生成部１１１は、ＦＲ、ＦＲＣ、及び、ＢｔＦＲを用いて、ＦＲ＿Ｂｔを生成する。式３に示すように、音声データ生成部１１１は、ＦＣ、ＦＲＣ、ＦＬＣ、及び、ＢｔＦＣを用いて、ＦＣ＿Ｂｔを生成する。式４に示すように、音声データ生成部１１１は、ＳｉＬを用いて、ＳＬ＿Ｂｔを生成する。式５に示すように、音声データ生成部１１１は、ＳｉＲを用いて、ＳＲ＿Ｂｔを生成する。式６に示すように、音声データ生成部１１１は、ＢＬ、及び、ＢＣを用いて、ＳＢＬ＿Ｂｔを生成する。
式７に示すように、音声データ生成部１１１は、ＢＲ、及び、ＢＣを用いて、ＳＢＲ＿Ｂｔを生成する。
【００３４】
式８に示すように、音声データ生成部１１１は、２２．２ｃｈのＬＦＥ１を用いて、１４．２ｃｈのＬＦＥ１を生成する。
【００３５】
式９〜１５は、１４．２ｃｈの上層の音声データの計算式である。式９に示すように、音声データ生成部１１１は、ＦＬ、ＦＬＣ、及び、ＴｐＦＬを用いて、ＦＬ＿Ｔｐを生成する。式１０に示すように、音声データ生成部１１１は、ＦＲ、ＦＲＣ、及び、ＴｐＦＲを用いて、ＦＲ＿Ｔｐを生成する。式１１に示すように、音声データ生成部１１１は、ＦＣ、ＦＲＣ、ＦＬＣ、ＴｐＦＣ、及び、ＴｐＣを用いて、ＦＣ＿Ｔｐを生成する。式１２に示すように、音声データ生成部１１１は、ＴｐＳｉＬを用いて、ＳＬ＿ＴＰを生成する。式１３に示すように、音声データ生成部１１１は、ＴｐＳｉＲを用いて、ＳＲ＿Ｔｐを生成する。式１４に示すように、音声データ生成部１１１は、ＴｐＢＬ、ＴｐＢＣ、及び、ＴｐＣを用いて、ＳＢＬ＿Ｔｐを生成する。式１５に示すように、音声データ生成部１１１は、ＴｐＢＲ、ＴｐＢＣ、及び、ＴｐＣを用いて、ＳＢＲ＿Ｔｐを生成する。
【００３６】
式１６に示すように、音声データ生成部１１１は、２２．２ｃｈのＬＦＥ２を用いて、１４．２ｃｈのＬＦＥ２を生成する。
【００３７】
図６は、本実施形態に係る１４．２ｃｈの音声データを７ｃｈを有するサウンドバー２個を上下に配置して再生した場合に生成される音場を模式的に示す図である。
【００３８】
図６において、SF_SoundBar_Tpは、サウンドバー（SoundBar_Tp）によって生成される音場を模式的に示しており、SF_SoundBar_Btは、サウンドバー（SoundBar_Bt）によって生成される音場を模式的に示している。
【００３９】
〔実施形態１の変形例〕
図７は、本実施形態の変形例に係る１４．２ｃｈの音声データを、７ｃｈを有するサウンドバー２個を上下に配置して再生した場合に生成される音場を模式的に示す図である。図７に示すように、本変形例では、リアスピーカ３を後ろに配置する。リアスピーカ３は、４ｃｈ（ＳＢＬ＿Ｔｐ、ＳＢＲ＿Ｔｐ、ＳＢＬ＿Ｂｔ、ＳＢＲ＿Ｂｔ）の音源となる。
【００４０】
リアスピーカ３が配置されることにより、図６では仮想ＳＰだったＳＢＬ＿Ｔｐ、ＳＢＲ＿Ｔｐ、ＳＢＬ＿Ｂｔ、ＳＢＲ＿Ｂｔをリアスピーカ３が受け持つので、音声データ生成部１１１が上記４ｃｈの音声データをリアスピーカ３用に生成する。これにより、リア音像が強化される。リアスピーカ３には、例えば、無線スピーカが用いられる。
【００４１】
リアスピーカ３は、音声データとして、ＳＢＬ＿Ｔｐ及びＳＢＬ＿Ｂｔを合成したＬを出力するとともに、ＳＢＲ＿Ｔｐ及びＳＢＲ＿Ｂｔを合成したＲを出力するステレオスピーカとして構成することも可能である。これにより、一般的な無線接続のステレオスピーカをリアスピーカ３として使用することが可能になる。
【００４２】
〔実施形態１の効果〕
上記の構成によれば、音声処理装置１１は、２個のサウンドバー１２、１３を用いることにより、多チャンネルの音声の再生環境を容易に実現することができる。特に、２２．２ｃｈの音声データを１４．２ｃｈの音声データにダウンミックスする場合に、２２．２ｃｈの上層の音声データを、１４．２の上層の音声データにダウンミックスし、２２．２ｃｈの中層及び下層の音声データを、１４．２ｃｈの中層の音声データにダウンミックス及び併合するので、２２．２ｃｈの３層（上中下）の音声データを、２個のサウンドバー１２、１３（上中）で容易に再現することができる。
【００４３】
〔実施形態２〕
本発明の実施形態２について、図８〜図９に基づいて説明すれば、以下のとおりである。なお、説明の便宜上、前記実施形態にて説明した部材と同じ機能を有する部材については、同じ符号を付記し、その説明を省略する。
【００４４】
音声処理装置１１は、２２．２ｃｈの音声データを取得し、ダウンミックスすることによって、１０．２ｃｈの音声データを生成する。
【００４５】
図８は、本実施形態に係る音声処理装置１１が生成する１０．２ｃｈの音声データのスピーカ位置を示す図である。図８に示すように、１０．２ｃｈの音声データは、前に配置された６個のＳＰ（ＦＬ＿Ｔｐ、ＦＣ＿Ｔｐ、ＦＲ＿Ｔｐ、ＦＬ＿Ｂｔ、ＦＣ＿Ｂｔ、ＦＲ＿Ｂｔ）、後ろに配置された４個の仮想ＳＰ（ＳＬ＿Ｔｐ、ＳＲ＿Ｔｐ、ＳＬ＿Ｂｔ、ＳＲ＿Ｂｔ）を出力位置として出力される。図８において、仮想ＳＰは破線の輪郭により示される。
【００４６】
音声出力装置１は、５．１ｃｈを有するサウンドバー２個を上下に配置し、２個のウーハを下層に配置することにより、１０．２ｃｈの音声データを出力可能である。ここで、２個のサウンドバーのうちより上層に配置されたサウンドバーをSoundBar_Tpと表し、より下層に配置されたサウンドバーをSoundBar_Btと表す。
【００４７】
サウンドバー（SoundBar_Tp）は、図８に示すように、ＳＬ＿Ｔｐ、ＦＬ＿Ｔｐ、ＦＣ＿Ｔｐ、ＦＲ＿Ｔｐ、ＳＲ＿Ｔｐの５個のチャンネルのそれぞれに対応した音声を再生するスピーカ群を有している。図８は、各々のチャンネルに対応したスピーカを個別に有する例を示す。ここで、図８において破線で示した各チャンネル（ＳＬ＿Ｔｐ、ＳＲ＿Ｔｐ（計２つ））は、仮想ＳＰ（ＳＬ＿Ｔｐ、ＳＲ＿Ｔｐ）を出力位置とするものであり、サウンドバー（SoundBar_Tp）の有する２つのサラウンドスピーカ群から個別に出力される。
【００４８】
同様に、サウンドバー（SoundBar_Bt）は、図８に示すように、ＳＬ＿Ｂｔ、ＦＬ＿Ｂｔ、ＦＣ＿Ｂｔ、ＦＲ＿Ｂｔ、ＳＲ＿Ｂｔの５個のチャンネルのそれぞれに対応した音声を再生するスピーカ群を有している。図８は、各々のチャンネルに対応したスピーカを個別に有する例を示す。ここで、図８において破線で示した各チャンネル（ＳＬ＿Ｂｔ、ＳＲ＿Ｂｔ（計２つ））は、上述の仮想ＳＰ（ＳＬ＿Ｂｔ、ＳＲ＿Ｂｔ）に対応するものであり、サウンドバー（SoundBar_Bt）の有する２つのサラウンドスピーカ群から個別に出力される。
【００４９】
音声出力装置１は、上記のように構成されるスピーカを駆動するアンプを備える。
【００５０】
２２．２ｃｈの音声データを１０．２ｃｈの音声データにダウンミックスする場合に、音声データ生成部１１１は、２２．２ｃｈの上層９ｃｈの音声データを１０．２ｃｈの上層５ｃｈの音声データ（ＳＬ＿Ｔｐ、ＦＬ＿Ｔｐ、ＦＣ＿Ｔｐ、ＦＲ＿Ｔｐ、ＳＲ＿Ｔｐ）にダウンミックスする。音声データ生成部１１１は、２２．２ｃｈの中層１０ｃｈの音声データを１０．２ｃｈの中層５ｃｈの音声データ（ＳＬ＿Ｂｔ、ＦＬ＿Ｂｔ、ＦＣ＿Ｂｔ、ＦＲ＿Ｂｔ、ＳＲ＿Ｂｔ）にダウンミックスする。音声データ生成部１１１は、２２．２ｃｈの下層３ｃｈの音声データを１０．２ｃｈの中層３ｃｈの音声データ（ＦＬ＿Ｂｔ、ＦＣ＿Ｂｔ、ＦＲ＿Ｂｔ）に併合する。
【００５１】
図９は、本実施形態に係るダウンミックスの計算式を示す図である。
【００５２】
音声データ生成部１１１は、中層の分配係数を調整することにより、音声の厚み感を表現する。ａ、ｋ、ｖ１、ｖ２、ｗ１、ｗ２は、一般的な係数である。
【００５３】
係数ａは、ダウンミックス処理時にデータがオーバーフローしないようにするために設定される係数であり、０から１の間の値が任意に設定される。係数ｋは、サラウンドチャンネルゲイン係数であり、放送により送られてくる係数である。ｖ１、ｖ２は垂直方向係数（上下分配）であり、０から１の値がそれぞれ任意に設定される。また、上記垂直方向係数の関係は、ｖ１＋ｖ２＝１となる。ｗ１、ｗ２は、水平方向係数であり、０から１の値がそれぞれ任意に設定される。また、上記水平方向係数の関係は、ｗ１＋ｗ２＝１となる。これらの係数は、上下ＳＰの位置（サウンドバー設置位置、テレビ画面サイズ）に合わせて、拡がり感を最適化するために任意に設定可能とする。
【００５４】
式１７〜２１は、１０．２ｃｈの中層の音声データの計算式である。式１７に示すように、音声データ生成部１１１は、ＦＬ、ＳｉＬ、ＦＬＣ、及び、ＢｔＦＬを用いて、ＦＬ＿Ｂｔを生成する。式１８に示すように、音声データ生成部１１１は、ＦＲ、ＳｉＲ、ＦＲＣ、及び、ＢｔＦＲを用いて、ＦＲ＿Ｂｔを生成する。式１９に示すように、音声データ生成部１１１は、ＦＣ、ＦＲＣ、ＦＬＣ、及び、ＢｔＦＣを用いて、ＦＣ＿Ｂｔを生成する。式２０に示すように、音声データ生成部１１１は、ＢＬ、ＢＣ、及び、ＳｉＬを用いて、ＳＬ＿Ｂｔを生成する。式２１に示すように、音声データ生成部１１１は、ＢＲ、ＢＣ、及び、ＳｉＲを用いて、ＳＲ＿Ｂｔを生成する。
【００５５】
式２２に示すように、音声データ生成部１１１は、２２．２ｃｈのＬＦＥ１を用いて、１０．２ｃｈのＬＦＥ１を生成する。
【００５６】
式２３〜２７は、１０．２ｃｈの上層の音声データの計算式である。
式２３に示すように、音声データ生成部１１１は、ＦＬ、ＦＬＣ、ＴｐＦＬ、及び、ＴｐＳｉＬを用いて、ＦＬ＿Ｔｐを生成する。式２４に示すように、音声データ生成部１１１は、ＦＲ、ＦＲＣ、ＴｐＦＲ、及び、ＴｐＳｉＲを用いて、ＦＲ＿Ｔｐを生成する。
式２５に示すように、音声データ生成部１１１は、ＦＣ、ＦＲＣ、ＦＬＣ、ＴｐＦＣ及び、ＴｐＣを用いて、ＦＣ＿Ｔｐを生成する。式２６に示すように、音声データ生成部１１１は、ＴＰＢＬ、ＴｐＢＣ、ＴｐＣ、及び、ＴｐＳｉＬを用いて、ＳＬ＿Ｔｐを生成する。式２７に示すように、音声データ生成部１１１は、ＴｐＢＲ、ＴｐＢＣ、ＴｐＣ、及び、を用いて、を生成する。
【００５７】
式２８に示すように、音声データ生成部１１１は、２２．２ｃｈのＬＦＥ２を用いて、１４．２ｃｈのＬＦＥ２を生成する。
【００５８】
〔実施形態２の効果〕
上記の構成によれば、音声処理装置１１は、２個のサウンドバー１２、１３を用いることにより、多チャンネルの音声の再生環境を容易に実現することができる。特に、２２．２ｃｈの音声データを１０．２ｃｈの音声データにダウンミックスする場合に、２２．２ｃｈの上層の音声データを、１０．２ｃｈの上層の音声データにダウンミックスし、２２．２ｃｈの中層及び下層の音声データを、１０．２ｃｈの中層の音声データにダウンミックス及び併合するので、２２．２ｃｈの３層（上中下）の音声データを、２個のサウンドバー１２、１３（上中）で容易に再現することができる。
【００５９】
〔実施形態３〕
本発明の実施形態３について、図１０〜図１２に基づいて説明すれば、以下のとおりである。なお、説明の便宜上、前記実施形態にて説明した部材と同じ機能を有する部材については、同じ符号を付記し、その説明を省略する。
【００６０】
音声処理装置１１は、２２．２ｃｈの音声データを取得し、ダウンミックスすることによって、８．１ｃｈの音声データを生成する。
【００６１】
図１０は、本実施形態に係る音声処理装置１１が生成する８．１ｃｈの音声データのスピーカ位置を示す図である。図１０に示すように、８．１ｃｈの音声データは、前に配置された６個のＳＰ（ＦＬ＿Ｔｐ、ＦＣ＿Ｔｐ、ＦＲ＿Ｔｐ、ＦＬ＿Ｂｔ、ＦＣ＿Ｂｔ、ＦＲ＿Ｂｔ）、後ろに配置された２個の仮想ＳＰ（ＳＬ＿Ｂｔ、ＳＲ＿Ｂｔ）を出力位置として出力される。図１０において、仮想ＳＰは破線の輪郭により示される。
【００６２】
本実施形態では、サウンドバー２個がテレビジョン受像機２に内蔵されている。音声出力装置１は、３ｃｈを有するサウンドバーと、５．１ｃｈを有するサウンドバーとを上下に配置し、１個のウーハを下層に配置することにより、８．１ｃｈの音声データを出力可能である。ここで、２個のサウンドバーのうち、より上層に配置されたサウンドバーをSoundBar_Tpと表し、より下層に配置されたサウンドバーをSoundBar_Btと表す。
【００６３】
サウンドバー（SoundBar_Tp）は、図１０に示すように、ＦＬ＿Ｔｐ、ＦＣ＿Ｔｐ、ＦＲ＿Ｔｐの３個のチャンネルのそれぞれに対応した音声を再生するスピーカ群を有している。図１０は、各々のチャンネルに対応したスピーカを個別に有する例を示す。
【００６４】
サウンドバー（SoundBar_Bt）は、図１０に示すように、ＳＬ＿Ｂｔ、ＦＬ＿Ｂｔ、ＦＣ＿Ｂｔ、ＦＲ＿Ｂｔ、ＳＲ＿Ｂｔの５個のチャンネルのそれぞれに対応した音声を再生するスピーカ群を有している。図１０は、各々のチャンネルに対応したスピーカを個別に有する例を示す。ここで、図１０において破線で示した各チャンネル（ＳＬ＿Ｂｔ、ＳＲ＿Ｂｔ（計２つ））は、仮想ＳＰ（ＳＬ＿Ｂｔ、ＳＲ＿Ｂｔ）に対応するものであり、サウンドバー（SoundBar_Bt）の有する２つのサラウンドスピーカ群から個別に出力される。
【００６５】
音声出力装置１は、上記のように構成されるスピーカを駆動するアンプを備える。
【００６６】
２２．２ｃｈの音声データを８．１ｃｈの音声データにダウンミックスする場合に、音声データ生成部１１１は、２２．２ｃｈの上層９ｃｈの音声データを８．１ｃｈの上層３ｃｈの音声データ（ＦＬ＿Ｔｐ、ＦＣ＿Ｔｐ、ＦＲ＿Ｔｐ）にダウンミックスする。音声データ生成部１１１は、２２．２ｃｈの中層１０ｃｈの音声データを８．１ｃｈの中層５ｃｈの音声データ（ＳＬ＿Ｂｔ、ＦＬ＿Ｂｔ、ＦＣ＿Ｂｔ、ＦＲ＿Ｂｔ、ＳＲ＿Ｂｔ）にダウンミックスする。音声データ生成部１１１は、２２．２ｃｈの下層３ｃｈの音声データを１０．２ｃｈの中層３ｃｈの音声データ（ＦＬ＿Ｂｔ、ＦＣ＿Ｂｔ、ＦＲ＿Ｂｔ）に併合する。
【００６７】
図１１は、本実施形態に係るダウンミックスの計算式を示す図である。
【００６８】
音声データ生成部１１１は、中層の分配係数を調整することにより、音声の立体感、厚み感を表現する。ａ、ｋ、ｖ１、ｖ２、ｗ１、ｗ２は、一般的な係数である。
【００６９】
係数ａは、ダウンミックス処理時にデータがオーバーフローしないようにするために設定される係数であり、０から１の間の値が任意に設定される。係数ｋは、サラウンドチャンネルゲイン係数であり、放送により送られてくる係数である。ｖ１、ｖ２は垂直方向係数（上下分配）であり、０から１の値がそれぞれ任意に設定される。また、上記垂直方向係数の関係は、ｖ１＋ｖ２＝１となる。ｗ１、ｗ２は、水平方向係数であり、０から１の値がそれぞれ任意に設定される。また、上記水平方向係数の関係は、ｗ１＋ｗ２＝１となる。これらの係数は、上下ＳＰの位置（サウンドバー設置位置、テレビ画面サイズ）に合わせて、拡がり感を最適化するために任意に設定可能とする。
【００７０】
式２９〜３３は、８．１ｃｈの中層の音声データの計算式である。式２９に示すように、音声データ生成部１１１は、ＦＬ、ＳｉＬ、ＦＬＣ、及び、ＢｔＦＬを用いて、ＦＬ＿ＢＴを生成する。式３０に示すように、音声データ生成部１１１は、ＦＲ、ＳｉＲ、ＦＲＣ、及び、ＢｔＦＲを用いて、ＦＲ＿Ｂｔを生成する。式３１に示すように、音声データ生成部１１１は、ＦＣ、ＦＲＣ、ＦＬＣ、及び、ＢｔＦＣを用いて、ＦＣ＿Ｂｔを生成する。式３２に示すように、音声データ生成部１１１は、ＢＬ、ＢＣ、ＳｉＬ、ＴｐＢＬ、ＴｐＢＣ、ＴｐＣ、及び、ＴｐＳｉＬを用いて、ＳＬ＿Ｂｔを生成する。式３３に示すように、音声データ生成部１１１は、ＢＲ、ＢＣ、ＳｉＲ、ＴｐＢＲ、ＴｐＢＣ、ＴｐＣ、及び、ＴｐＳｉＲを用いて、ＳＲ＿Ｂｔを生成する。
【００７１】
式３４に示すように、音声データ生成部１１１は、ＬＦＥ１、及び、ＬＦＥ２を用いて、ＬＦＥを生成する。
【００７２】
式３５〜３７は、８．１ｃｈの上層の音声データの計算式である。式３５に示すように、音声データ生成部１１１は、ＦＬ、ＦＬＣ、ＴｐＦＬ、及び、ＴｐＳｉＬを用いて、ＦＬ＿Ｔｐを生成する。式３６に示すように、音声データ生成部１１１は、ＦＲ、ＦＲＣ、ＴｐＦＲ、及び、ＴｐＳｉＲを用いて、ＦＲ＿Ｔｐを生成する。式３７に示すように、音声データ生成部１１１は、ＦＣ、ＦＲＣ、ＦＬＣ、ＴｐＦＣ、及び、ＴｐＣを用いて、ＦＣ＿Ｔｐを生成する。
【００７３】
〔実施形態３の変形例〕
図１２は、本実施形態に係る８．１ｃｈの音声データを、３ｃｈを有するサウンドバー１個と、５．１ｃｈを有するサウンドバー１個とを配置して再生した場合に生成される音場を模式的に示す図である。図１２において、SF_SoundBar_Btは、サウンドバー（SoundBar_Bt）によって生成される音場を模式的に示している。
【００７４】
図１２に示すように、リアスピーカ３が後ろに配置される。リアスピーカ３は、２ｃｈ（ＳＬ＿Ｂｔ、ＳＲ＿Ｂｔ）の音源となる。
【００７５】
リアスピーカ３が配置されることにより、仮想ＳＰだったＳＬ＿Ｂｔ、ＳＲ＿Ｂｔをリアスピーカ３が受け持つので、音声データ生成部１１１が上記２ｃｈの音声データをリアスピーカ３用に生成する。これにより、リア音像が強化される。リアスピーカ３には、例えば、無線スピーカが用いられる。
【００７６】
〔実施形態３の効果〕
上記の構成によれば、音声処理装置１１は、２個のサウンドバー１２、１３を用いることにより、多チャンネルの音声の再生環境を容易に実現することができる。特に、２２．２ｃｈの音声データを８．１ｃｈの音声データにダウンミックスする場合に、２２．２ｃｈの上層の音声データを、８．１ｃｈの上層の音声データにダウンミックスし、２２．２ｃｈの中層及び下層の音声データを、８．１ｃｈの中層の音声データにダウンミックス及び併合するので、２２．２ｃｈの３層（上中下）の音声データを、２個のサウンドバー１２、１３（上中）で容易に再現することができる。
【００７７】
〔ソフトウェアによる実現例〕
音声処理装置１１の制御ブロック（音声データ生成部１１１）は、集積回路（ＩＣチップ）等に形成された論理回路（ハードウェア）によって実現してもよいし、ＣＰＵ（Central Processing Unit）を用いてソフトウェアによって実現してもよい。
【００７８】
後者の場合、音声処理装置１１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００７９】
〔まとめ〕
本発明の態様１に係る音声処理装置（１１）は、複数の入力チャンネルの音声データをダウンミックスすることによって、複数の出力チャンネルの音声データを生成する音声処理装置において、出力チャンネル毎の音声データを出力する複数のスピーカ群が横方向に配列されてなる第１のサウンドバーと、出力チャンネル毎の音声データを出力する複数のスピーカ群が横方向に配列されてなる第２のサウンドバーとを含む複数の出力チャンネル用スピーカのそれぞれに対する音声データを、上記複数の入力チャンネルの音声データをダウンミックスすることによって生成する音声データ生成部（１１１）を備えている。
【００８０】
上記の構成によれば、２個のサウンドバーを用いることにより、多チャンネルの音声の再生環境を容易に実現することができる。
【００８１】
本発明の態様２に係る音声処理装置は、上記態様１において、上記音声データ生成部が、上記複数の入力チャンネルの上層の音声データを、上記複数の出力チャンネルの上層の音声データにダウンミックスし、上記複数の入力チャンネルの中層の音声データを、上記複数の出力チャンネルの中層の音声データにダウンミックスし、上記複数の入力チャンネルの下層の音声データを、上記複数の出力チャンネルの中層の音声データに併合してもよい。
【００８２】
上記の構成によれば、複数の入力チャンネルの上層の音声データを、複数の出力チャンネルの上層の音声データにダウンミックスし、複数の入力チャンネルの中層及び下層の音声データを、複数の出力チャンネルの中層の音声データにダウンミックス及び併合するので、複数の入力チャンネルの３層（上中下）の音声データを、２個のサウンドバー（上中）で容易に再現することができる。
【００８３】
本発明の態様３に係る音声処理装置は、上記態様２において、上記音声データ生成部が、２２．２ｃｈの音声データを１４．２ｃｈの音声データにダウンミックスする場合に、上記複数の入力チャンネルの上層９ｃｈの音声データを、上記複数の出力チャンネルの上層７ｃｈの音声データにダウンミックスし、上記複数の入力チャンネルの中層１０ｃｈの音声データを、上記複数の出力チャンネルの中層７ｃｈの音声データにダウンミックスし、上記複数の入力チャンネルの下層３ｃｈの音声データを、上記複数の出力チャンネルの中層７ｃｈの音声データに併合してもよい。
【００８４】
上記の構成によれば、２２．２ｃｈの音声データを１４．２ｃｈの音声データにダウンミックスする場合に、３層（上中下）の音声データを、２個のサウンドバー（上中）で容易に再現することができる。
【００８５】
本発明の態様４に係る音声出力装置（１）は、上記態様１〜３の何れかの音声処理装置（１１）と、出力チャンネル毎の音声データを出力する複数のスピーカ群が横方向に配列されてなる第１のサウンドバー（１２）と、出力チャンネル毎の音声データを出力する複数のスピーカ群が横方向に配列されてなる第２のサウンドバー（１３）と、を備えている。
【００８６】
上記の構成によれば、２個のサウンドバーを用いることにより、多チャンネルの音声をダウンミックスして出力することができる。
【００８７】
本発明の態様５に係るテレビジョン受像機（２）は、上記態様４に係る音声出力装置を備えている。
【００８８】
本発明の態様６に係る音声処理方法は、複数の入力チャンネルの音声データをダウンミックスすることによって、複数の出力チャンネルの音声データを生成する音声処理方法であって、出力チャンネル毎の音声データを出力する複数のスピーカ群が横方向に配列されてなる第１のサウンドバーと、出力チャンネル毎の音声データを出力する複数のスピーカ群が横方向に配列されてなる第２のサウンドバーとを含む複数の出力チャンネル用スピーカのそれぞれに対する音声データを、上記複数の入力チャンネルの音声データをダウンミックスすることによって生成する音声データ生成ステップを含んでいる。
【００８９】
本発明の各態様に係る音声処理装置は、コンピュータによって実現してもよく、この場合には、コンピュータを上記音声処理装置が備える各部（ソフトウェア要素）として動作させることにより上記音声処理装置をコンピュータにて実現させる音声処理装置のプログラム、及び、それを記録したコンピュータ読み取り可能な記録媒体も、本発明の範疇に入る。
【００９０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００９１】
１  音声出力装置
１１  音声処理装置
１２  サウンドバー（第１のサウンドバー）
１３  サウンドバー（第２のサウンドバー）
１１１  音声データ生成部
２  テレビジョン受像機
【図１】
2018121309.tif 000003
【図２】
2018121309.tif 000004
【図３】
2018121309.tif 000005
【図４】
2018121309.tif 000006
【図５】
2018121309.tif 000007
【図６】
2018121309.tif 000008
【図７】
2018121309.tif 000009
【図８】
2018121309.tif 000010
【図９】
2018121309.tif 000011
【図１０】
2018121309.tif 000012
【図１１】
2018121309.tif 000013
【図１２】
2018121309.tif 000014